(57)【要約】      （修正有）【課題】書類を区分けして収納できると共に、かさばらない薄さで容易に持ち運びできる書類ケースを提供する。【解決手段】上部が開口して、内部に複数の仕切り部１１を備える収納部１０と、上部を覆う蓋部１２とを有し、蓋部が、収納部の裏面に接続する裏面部と、収納部の表面１０ａに第１の固定部によって着脱可能に接続する表面部１３と、表面部と裏面部とを接続する接続部１５とを備え、表面部と裏面部において、対向する位置に取っ手となる開口部１６ａを設け、仕切り部にはインデックス部１７を各々ずらして配置され、裏面部に折り曲げ部を備える書類ケースである。【選択図】図１
0003233142.tif 000002
【実用新案登録請求の範囲】
【請求項１】
書類を区分けして収納する書類ケースであって、
上部が開口して、内部に複数の仕切り部を備える収納部と、
前記上部を覆う蓋部と、を有し、
前記蓋部は、前記収納部の裏面に接続する裏面部と、前記収納部の表面に第１の固定部によって着脱可能に固定する表面部と、前記表面部と前記裏面部とを接続する接続部と、を備え、
前記表面部と前記裏面部において、対向する位置に取っ手となる開口部を設けたことを特徴とする書類ケース。
【請求項２】
蓋部の裏面部は、開口部の下側で接続部と平行に折り曲げ可能な折り曲げ部を備え、
当該折り曲げ部で前記裏面部を折り曲げた場合に、前記蓋部の表面部が収納部の表面に第２の固定部によって着脱可能に固定することを特徴とする請求項１記載の書類ケース。
【請求項３】
収納部の表面と蓋部の表面部とを固定する第１の固定部又は第２の固定部は、ボタン又は面ファスナーであることを特徴とする請求項２記載の書類ケース。
【請求項４】
仕切り部の上部には、上側に突出するインデックス部が、各々ずらして配置されていることを特徴とする請求項１乃至３のいずれか記載の書類ケース。
【請求項５】
収納部の表面と裏面を接続する側面部は、伸縮可能なジャバラ構造となっていることを特徴とする請求項１乃至４のいずれか記載の書類ケース。
【請求項６】
表面部の開口部の上辺と裏面部の開口部の上辺とが、それぞれ内側に折り曲げられていることを特徴とする請求項１乃至５のいずれか記載の書類ケース。
【考案の詳細な説明】
【技術分野】
【０００１】
本考案は、書類を収納する書類ケースに係り、特に、書類を区分けして容易に持ち運びできる書類ケースに関する。
【背景技術】
【０００２】
［先行技術の説明］
従来の書類ケースでは、複数のポケットを備え、書類を区分けして収納するものがあった。
また、書類ケースに取っ手を付けたものもあった。
【０００３】
［関連技術］
尚、関連する先行技術としては、特開２０２１−０４１６１２号公報「書類ケース」（特許文献１）がある。
特許文献１には、取っ手を備えるものの、蓋部が分離して折り畳み可能な書類ケースが記載されている。
【先行技術文献】
【特許文献】
【０００４】
【特許文献１】特開２０２１−０４１６１２号公報
【考案の概要】
【考案が解決しようとする課題】
【０００５】
しかしながら、従来の書類ケースでは、かさばらない薄さで書類を区分けし、持ち運びしやすい構造とはなっていないという問題点があった。
【０００６】
尚、特許文献１には、かさばらない薄さで書類を区分けし、持ち運びを容易にする書類ケースについては記載されていない。
【０００７】
本考案は上記実状に鑑みて為されたもので、書類を区分けして収納できると共にかさばらない薄さで容易に持ち運びできる書類ケースを提供することを目的とする。
【課題を解決するための手段】
【０００８】
上記従来例の問題点を解決するための本考案は、書類を区分けして収納する書類ケースであって、上部が開口して、内部に複数の仕切り部を備える収納部と、上部を覆う蓋部とを有し、蓋部が、収納部の裏面に接続する裏面部と、収納部の表面に第１の固定部によって着脱可能に固定する表面部と、表面部と裏面部とを接続する接続部とを備え、表面部と裏面部において、対向する位置に取っ手となる開口部を設けたことを特徴とする。
【０００９】
また、本考案は、上記書類ケースにおいて、蓋部の裏面部が、開口部の下側で接続部と平行に折り曲げ可能な折り曲げ部を備え、当該折り曲げ部で裏面部を折り曲げた場合に、蓋部の表面部が収納部の表面に第２の固定部によって着脱可能に固定することを特徴とする。
【００１０】
また、本考案は、上記書類ケースにおいて、収納部の表面と蓋部の表面部とを固定する第１の固定部又は第２の固定部は、ボタン又は面ファスナーであることを特徴とする。
【００１１】
また、本考案は、上記書類ケースにおいて、仕切り部の上部には、上側に突出するインデックス部が、各々ずらして配置されていることを特徴とする。
【００１２】
また、本考案は、上記書類ケースにおいて、収納部の表面と裏面を接続する側面部が、伸縮可能なジャバラ構造となっていることを特徴とする。
【００１３】
また、本考案は、上記書類ケースにおいて、表面部の開口部の上辺と裏面部の開口部の上辺とが、それぞれ内側に折り曲げられていることを特徴とする。
【考案の効果】
【００１４】
本考案によれば、上部が開口して、内部に複数の仕切り部を備える収納部と、上部を覆う蓋部とを有し、蓋部が、収納部の裏面に接続する裏面部と、収納部の表面に第１の固定部によって着脱可能に固定する表面部と、表面部と裏面部とを接続する接続部とを備え、表面部と裏面部において、対向する位置に取っ手となる開口部を設けた書類ケースとしているので、書類を区分けして収納できると共に容易に持ち運びできる効果がある。
【００１５】
本考案によれば、蓋部の裏面部が、開口部の下側で接続部と平行に折り曲げ可能な折り曲げ部を備え、当該折り曲げ部で裏面部を折り曲げた場合に、蓋部の表面部が収納部の表面に第２の固定部によって着脱可能に固定する上記書類ケースとしているので、持ち手を使用しないときは折り畳むことができる効果がある。
【図面の簡単な説明】
【００１６】
【図１】本書類ケースの正面説明図である。
【図２】本書類ケース背面説明図である。
【図３】本書類ケースの右側面説明図である。
【図４】本書類ケースを折り畳んだ状態の正面説明図である。
【考案を実施するための形態】
【００１７】
本考案の実施の形態について図面を参照しながら説明する。
［実施の形態の概要］
本考案の実施の形態に係る書類ケース（本書類ケース）は、上部が開口して、内部に複数の仕切り部を備える収納部と、上部を覆う蓋部とを有し、蓋部が、収納部の背面（裏面）に接続する裏面部と、収納部の表面に着脱可能に接続する表面部と、表面部と裏面部とを接続する接続部とを備え、表面部と裏面部において、対向する位置に取っ手となる開口部を設けたものであり、仕切り部で書類を区分けして収納部に収納できると共に容易に蓋部に開口部の取っ手を備えることで容易に持ち運びできるものである。
【００１８】
［本書類ケース：図１〜３］
本書類ケースについて図１〜３を参照しながら説明する。図１は、本書類ケースの正面説明図であり、図２は、本書類ケースの背面説明図であり、図３は、本書類ケースの右側面説明図である。
本書類ケースは、図１に示すように、収納部１０と、蓋部１２とから基本的に構成されている。
【００１９】
［収納部１０］
収納部１０は、上部が開口し、表面１０ａと、裏面（背面）１０ｂと、側面１０ｃと、底面１０ｄとを有している。底面１０ｄは、図３に示すように、表面１０ａと裏面１０ｂに接続し、Ｖ字形状となっている。
また、収納部１０の内側には、複数の仕切り部１１が設けられ、その仕切り部１１の上側に突出するインデックス部１７が各々形成されている。
各インデックス部１７は、重ならないように横方向にずらして配置されている。
【００２０】
側面１０ｃは、ジャバラ構造となっており、表面１０ａと仕切り部１１の間、仕切り部１１同士の間、仕切り部１１と裏面１０ｂの間が外側に突出して、表面１０ａ方向又は裏面１０ｂ方向に伸縮可能となっている。これにより、書類を多く収納すると膨らみ、書類を収納しない場合は、薄くなるものである。
【００２１】
［蓋部１２］
蓋部１２は、収納部１０の上部を覆うように設けられるものであり、収納部１０の裏面１０ｂに接続する裏面部１４と、収納部１０の表面１０ａに着脱可能に接続する表面部１３と、表面部１３と裏面部１４とを接続する接続部１５とを備えている。
【００２２】
接続部１５は、折り曲げて表面部１３と裏面部１４との境目としているが、表面部１３と裏面部１４との端辺を接着して形成するようにしてもよい。
収納部１０の裏面１０ｂと裏面部１４とは接着されて固定されているが、表面部１３は、表面１０ａと着脱可能に固定される。
尚、裏面１０ｂと裏面部１４とを最初から一体に形成するようにしてもよい。
【００２３】
着脱可能な固定は、表面部１３に設けられたオス型ボタン１８ａと表面１０ａに設けられたメス型ボタン１８ｂ１を用いて固定部（第１の固定部）によって実現される。
第１の固定部のボタンは、図１〜３では、表面１０ａの左右に２つ設けられているが、中央に１つでもよく、ボタンに代えて面ファスナーであっても構わない。
また、メス型ボタン１８ｂ１の更に下側にメス型ボタン１８ｂ２が設けられており、オス型ボタン１８ａとメス型ボタン１８ｂ２を用いて固定部（第２の固定部）が実現される。第２の固定部については後述する。
【００２４】
［取っ手］
また、表面部１３と裏面部１４の対向する位置に矩形の開口部１６ａ，１６ｂが形成されている。この開口部１６ａ，１６ｂは、人差指、中指、薬指、小指の４本が入る大きさとなっている。無論、開口部１６ａ，１６ｂの大きさは指が３本入る程度でも構わない。
つまり、開口部１６ａ，１６ｂが本書類ケースの取っ手として機能している。
【００２５】
更に、開口部１６ａと開口部１６ｂの上側の端辺は、開口した際に素材の一部を内側（裏面）に折り返して裏面に接着している。
具体的には、開口部１６ａ，１６ｂを開けた際に、上側の端辺の両端に切り込みを入れ、その端辺を内側に折り曲げ、折り曲げた辺を折り返して裏面に接着させて形成したものである。
この折り返しの構成とすることで、開口部１６ａ，１６ｂに指を入れて持った場合に、指に鋭利な端辺が当たることがなく、指が痛くならず、持ちやすいものとなる。
【００２６】
［折り曲げ部１９］
図２に示すように、蓋部１２の裏面部１４には、開口部１６ｂの下側で接続部１５に平行に折り曲げ部１９が形成されている。
折り曲げ部１９は、山折りに折り曲げ可能としており、折り曲げられると、取っ手が広げられて収納部１０の表面１０ａに引き出され、表面部１３が下側に降りてくる。
そして、表面部１３に設けられたオス型のボタン１８ａがメス型ボタン１８ｂ２と着脱可能に固定されることになる。
【００２７】
［本書類ケースを折り畳んだ状態：図４］
次に、本書類ケースを折り畳んだ状態について図４を参照しながら説明する。図４は、本書類ケースを折り畳んだ状態を示す正面説明図である。
本書類ケースは、図４に示すように、折り曲げ部１９で折り曲げた場合に、取っ手の部分が収納部１０の表面１０ａ側に展開される。つまり、裏面部１４の一部（折り曲げ部１９より上側の部分）と表面部１３が広がって、収納部１０の表面１０ａの下側に延びてくる。
【００２８】
そして、表面部１３のオス型ボタン１８ａとメス型ボタン１８ｂ２とが固定可能（第２の固定部での固定可能）となり、この第２の固定部で固定されると、図１で示した取っ手部分が突出していないコンパクトな形状とすることができる。これにより、本書類ケースを別の大きめのバッグに収納してもかさばることがないものである。
【００２９】
［実施の形態の効果］
本書類ケースによれば、上部が開口して、内部に複数の仕切り部１１を備える収納部１０と、上部を覆う蓋部１２とを有し、蓋部１２が、収納部１０の裏面１０ｂに接続する裏面部１４と、収納部１０の表面１０ａに着脱可能に接続する表面部１３と、表面部１３と裏面部１４とを接続する接続部１５とを備え、表面部１３と裏面部１４において、対向する位置に取っ手となる開口部１６ａ，１６ｂを設けたものとしているので、仕切り部１１で書類を区分けして収納部１０に収納できると共に容易に蓋部１２に開口部１６ａ，１６ｂの取っ手を備えることで容易に持ち運びできる効果がある。
【００３０】
本書類ケースによれば、蓋部１２の裏面部１４が、開口部１６ｂの下側で接続部１５と平行に折り曲げ可能な折り曲げ部１９を備え、折り曲げ部１９で裏面部１４を折り曲げた場合に、蓋部１２の表面部１３が収納部１０の表面１０ａに着脱可能に固定するものとしているので、持ち手を使用しないときは折り畳むことができる効果がある。
【産業上の利用可能性】
【００３１】
本考案は、書類を区分けして収納できると共に容易に持ち運びできる書類ケースに適している。
【符号の説明】
【００３２】
１０…収納部、  １０ａ…表面、  １０ｂ…裏面、  １０ｃ…側面、  １０ｄ…底面、  １１…仕切り部、  １２…蓋部、  １３…表面部、  １４…裏面部、  １５…接続部、  １６ａ，１６ｂ…開口部、  １７…インデックス部、  １８ａ…オス型ボタン、  １８ｂ１，１８ｂ２…メス型ボタン、  １９…折り曲げ部、  ２０…接続面
【図１】
0003233142.tif 000003
【図２】
0003233142.tif 000004
【図３】
0003233142.tif 000005
【図４】
0003233142.tif 000006